(57)【要約】【課題】ネットの片面にシート状の薄綿が積層され、その上にヤシ繊維等の粗大繊維層を水溶性接着剤で積層した法面緑化用の植生マットは、早めに接着機能を失わせて薄綿と粗大繊維層で土壌表面を覆い、表層土、植物種子、肥料等の移動を防止するもので、この植生マットは立設や、シートと薄綿等の長期の接着は意図していない。【解決手段】本発明に係る登攀助材は、付着型植物(P)の登攀を支援するもので、保形材(1)、ヤシ殻マット(2)及び立体金網(3)を備えている。該保形材(1)は該ヤシ殻マット(2)の一面に添設されて該ヤシ殻マット(2)の形態維持に関与している。該ヤシ殻マット(2)は多数のヤシ殻繊維を例えばニードルパンチや接着材などでマット状に一体に成形して付着型植物(P)の付着根(R)の付着を容易にしたものである。そして、該立体金網(3)は該付着型植物(P)の脱落防止用で該ヤシ殻マット(2)の他面に配設されている。【選択図】図１
2014036620.tif 000002
【特許請求の範囲】
【請求項１】
付着型植物(P)の登攀を支援するもので、
保形材(1)、ヤシ殻マット(2)及び立体金網(3)を備え、
該保形材(1)は該ヤシ殻マット(2)の一面に添設されて該ヤシ殻マット(2)の形態維持に関与しており、
該ヤシ殻マット(2)は多数のヤシ殻繊維をマット状に一体成形して付着型植物(P)の付着根(R)の付着を容易にしたもので、
該立体金網(3)は該付着型植物(P)の脱落防止用で該ヤシ殻マット(2)の他面に配設されている
ことを特徴とする登攀助材。
【請求項２】
該保形材(1)の一面に該ヤシ殻マット(2)及び立体金網(3)が添設され、他面にもヤシ殻マット(2’)と立体金網(3’)がこの順序で層設されている請求項１に記載の登攀助材。
【請求項３】
該保形材(1)は該ヤシ殻マット(2)の一面に添設され、該保形材(1)の表面に立体金網(3)が配設されている請求項１に記載の登攀助材。
【請求項４】
該ヤシ殻マット(2)の一面に該保形材(1)及び該立体金網(3’)がこの順序で層設され、該ヤシ殻マット(2)の他面に該立体金網(3)が配設されている請求項３に記載の登攀助材。
【請求項５】
該ヤシ殻マット(2)は該保形材(1)及び立体金網(3)が添設されている面と反対側の面に、保形材(1’)と立体金網(3’)がこの順序で層設されている請求項４に記載の登攀助材。
【請求項６】
該保形材(1)は、付着型植物(P)の付着根(R)の通過は許すが目線による透視は困難な、網目(11)を備えている請求項１から５の一つの項に記載の登攀助材。
【請求項７】
該保形材(1)は熱溶融性の接着シート(4)を介して該ヤシ殻マット(2)に接着されている請求項１から６の一つの項に記載の登攀助材。
【請求項８】
該保形材(1)は遮蔽率（充実率）が４０〜８０％、好ましくは６０〜７０％、目開きが１〜１６ｍｍ、好ましくは２〜３．５ｍｍ、保形材線材幅が０．３〜２０ｍｍ、好ましくは１．５〜２ｍｍとなっている請求項１から７の一つの項に記載の登攀助材。
【発明の詳細な説明】
【技術分野】
【０００１】
本発明は登攀助材に関し、緑化用資材の緑化面を覆うべき付着型植物の生育登攀を支援し、壁面緑化、直射日光の遮断、もしくは覗き見の阻止等を効果的に行えるようにしたものである。
【背景技術】
【０００２】
ネットの片面にシート状の薄綿を積層し、薄綿の上に木毛繊維、ヤシ繊維等の腐食性繊維の少なくとも一つからなる粗大繊維同士を水溶性接着剤で接着した緑化用の植生マットは、特許文献１（特許公報第４２８１９７９号）に開示されている。
【先行技術文献】
【特許文献】
【０００３】
【特許文献１】特許公報第４２８１９７９号  （段落０００６、０００７  ３〜９行）
【発明の概要】
【発明が解決しようとする課題】
【０００４】
特許文献１に記載の緑化用の植生マットは、段落０００６に述べられている目的によれば、土壌表面への密着性が非常によくて、表層土、植物種子、肥料等の移動を確実に防止でき、しかも、保水機能が高くて植物種子の乾燥を防止でき、これらの結果、発芽むら、生育むらが発生し難く、侵入植生も定着し易くしたものである。そして、課題を解決するための手段の記載である段落０００７の３〜９行中の特に７〜９行には、「植生マット施工後は降雨あるいは散水により薄綿がネットから剥がれ落ちるように両者を水溶性接着剤により一体化してあり、」とあり、このことからこの先行技術と本発明とは次の２点で相違することが明らかである。
【０００５】
その一は、先行技術の植生マットは緑化するのり面等に敷設して使用されるのに対し、本発明の登攀助材は立設して使用される点である。壁面緑化、遮光もしくは外部からの覗き見の阻止等で立設は不可欠であるが、先行技術ではこの点に関しては全く触れられておらず、示唆もない。
【０００６】
その二は、この先行技術は薄綿が水を含んだ場合にネットから剥がれ落ち易くしているのに対し、本発明はネットと粗大繊維層の面接着をできるだけ長期にわたって維持しようとする点である。先行技術では、薄綿が剥離した場合、粗大繊維層もこの薄綿と共に剥がれ落ちるようにして粗大繊維層を土壌表面に食い込ませ、表層度の移動を防止している。従って、先行技術と本発明は、ネットと粗大繊維層の接着の意図が全く逆の発想でなされている。
【０００７】
本発明は緑化用、遮光用、目隠し用として使用する資材に適用することができる登攀助材を提供することを目的とする。
【課題を解決するための手段】
【０００８】
（請求項１）本発明に係る登攀助材は、付着型植物の登攀を支援するものである。この登攀助材は保形材、ヤシ殻マット及び立体金網を備えている。該保形材は該ヤシ殻マットの一面に添設されて該ヤシ殻マットの形態維持に関与している。該ヤシ殻マットは多数のヤシ殻繊維をマット状に一体成形して付着型植物の付着根の付着を容易にしたものである。この一体成形にはニードルパンチや接着剤等を採用してもよい。そして、該立体金網は該付着型植物の脱落防止用で該ヤシ殻マットの他面に配設されている。
【０００９】
ヤシ殻マットは化学繊維のマットに比べ付着型植物の付着根が侵入し易いので、付着型植物の登攀用マットとしては大変好ましいが、天然素材であるため、経年変化が起こり易いという欠点がある。例えば、湿度（水分）を吸収すると膨張（伸長）し、その水分が蒸発すると収縮する。
【００１０】
実際に、広域緑化面に複数枚のマットを上下方向に列設した場合、マットの収縮により上下に隣り合うマット相互間に隙間が発生している。また、マットの膨張は、マットが規制部材、例えば立体金網に取り付けられている個所以外で起こり、表面が膨れて波を打った状態になり、膨れた部分ではマットと規制部材の間隔が狭くなるので、付着型植物の登攀に支障を来す。
【００１１】
これらの膨張量や収縮量が大きくなると、ヤシ殻マットは規制部材との固定部分が損壊し、更に進むとヤシ殻マットの脱落の危険性が生じるので、この膨張や収縮への対応が欠かせない。
【００１２】
本発明では、ヤシ殻マットは付着型植物の付着根が侵入し易いのでその登攀が容易となり、保形材は経年変化し易いヤシ殻マットの形態維持ができるので、ヤシ殻マット単独の場合に生じ易い諸欠点を解消でき、建物の壁面等に設置すれば、緑化用、遮光用、目隠し用等として長期間にわたってその目的を果たせる。ヤシ殻マットが損壊し、付着型植物が生育せず、あるいは付着型植物が枯れて、緑化されない個所が現れても、保形材がある程度その機能を代行するので、殊に覗き見に対して効果的である。
【００１３】
（請求項２）該保形材の一面に該ヤシ殻マット及び立体金網が添設され、他面にもヤシ殻マットと立体金網がこの順序で層設されていてもよい。
こうすると、付着型植物は該保形材の両側のヤシ殻マットに付着根を付着させながら登攀し、途中では立体金網にも支えられるので、風圧を受けても簡単には付着根がヤシ殻マットから外れることはなく、登攀を確実に行え、フェンス等のように両面を仕切るような使用に適している。
【００１４】
（請求項３）該保形材は該ヤシ殻マットの一面に添設され、該保形材の表面に立体金網が配設されていてもよい。
こうすると、該保形材の遮蔽効果により該ヤシ殻マットを紫外線や風雨から保護し、形態保持の効果が大となる。
【００１５】
（請求項４）該ヤシ殻マットの一面に該保形材及び該立体金網がこの順序で層設され、該ヤシ殻マットの他面に立体金網が配設されていてもよい。
こうすると、この登攀助材の該保形材が添設されている面を光線に向けて壁面に直に又は間隔を保って添設することで、該ヤシ殻マットを紫外線から保護でき、該ヤシ殻マットの片面の場合はともかく、両面に緑化植物を登攀させることで、層厚の緑化が期待でき、十分な目隠し効果も得られるので、フェンス等として使用した場合にも好適である。
【００１６】
（請求項５）該ヤシ殻マットは該保形材及び立体金網が添設されている面と反対側の面に、保形材と立体金網がこの順序で層設されていてもよい。
こうすると、この登攀助材は２枚の保形材がヤシ殻マットを挟んだ状態となっているので、その遮蔽効果により耐久性が向上し、フェンス等の仕切り用として好適となる。
【００１７】
（請求項６）該保形材は、付着型植物の付着根の通過は許すが目線による透視は困難な、網目を備えていてもよい。
こうすると、付着型植物は、付着根が保形材の網目からヤシ殻マットに侵入して付着するので、壁面に採用した場合でも安定して登攀ができ、仮に付着型植物が登攀路から外れて保形材に露出個所が現れても、網目は目線による透視を困難にするので、目隠し効果を損なうことはない。
【００１８】
（請求項７）該保形材は熱溶融性の接着シートを介して該ヤシ殻マットに接着されていてもよい。
こうすると、保形材とヤシ殻マットを熱溶融性の接着シートを挟んで熱プレスをかけると接着シートが溶融して両者を接着し、短時間で接着強度が出て作業性がよい。
【００１９】
（請求項８）該保形材は遮蔽率（充実率）が４０〜８０％、好ましくは６０〜７０％、目開きが１〜１６ｍｍ、好ましくは２〜３．５ｍｍ、保形材線材幅が０．３〜２０ｍｍ、好ましくは１．５〜２ｍｍとなっていてもよい。
なお、遮蔽率（充実率）、目開き、保形材線材幅の３数値には、下記の通り密接な関係がある。
・遮  蔽  率：小さいと目隠し性（遮蔽性）が確保できない。
（充実率）    大きいと付着根の付着場所（面積）が少なく、登攀しづらい。
・目  開  き：小さいと付着根が通過しない。
大きいと保形材の保形性の確保が難しい。
・保形材線材幅：保形性に大きく寄与する（小さくすると保形性が小）。
大きいと遮蔽性が確保し易い。
こうすると、保形材の遮蔽率（充実率）、目開き、保形材線材幅が、緑化、目隠し等に望ましく、これらの範囲以外だと付着型植物の付着根の通過が困難となって登攀に支障を生じたり、保形材の保形性の確保が難しくなったり、また、遮蔽の目的を果たしにくくなったりする。
【発明の効果】
【００２０】
（請求項１）本発明によれば、ヤシ殻マットは付着型植物の付着根が侵入し易いのでその登攀が容易となり、保形材は経年変化し易いヤシ殻マットの形態維持ができるので、ヤシ殻マット単独の場合に生じ易い諸欠点を解消でき、建物の壁面等に設置すれば、緑化用、遮光用、目隠し用等として長期間にわたってその目的を果たせ、ヤシ殻マットが損壊し、付着型植物が生育せず、あるいは付着型植物が枯れて、緑化されない個所が現れても、保形材がある程度その機能を代行するので、殊に覗き見に対して効果的である。
【００２１】
請求項２によれば、付着型植物は該保形材の両側のヤシ殻マットに付着根を付着させながら登攀し、途中で立体金網に支えられながら登攀するので、風圧を受けても簡単には付着根がヤシ殻マットから外れることはなく、登攀を確実に行え、フェンス等のように両面を仕切るような使用に適している。
【００２２】
請求項３によれば、該保形材の遮蔽効果により該ヤシ殻マットを紫外線や風雨から保護し、形態保持の効果が大となる。
【００２３】
請求項４によれば、該ヤシ殻マットの一面に該保形材及び該立体金網がこの順序で層設され、該ヤシ殻マットの他面に立体金網が配設されているので、この登攀助材の該保形材が添設されている面を光線に向けて壁面に添設することで、該ヤシ殻マットを紫外線から保護でき、該ヤシ殻マットの両面に緑化植物を登攀させれば、層厚の緑化が期待でき、十分な目隠し効果も得られるので、フェンス等として使用した場合にも好適となる。
【００２４】
請求項５によれば、２枚の保形材がヤシ殻マットを挟んだ状態となるので、その遮蔽効果により耐久性が向上し、フェンス等の仕切り用として好適となる。
【００２５】
請求項６によれば、付着型植物は、付着根が保形材の網目からヤシ殻マットに侵入して付着するので、壁面に採用した場合でも安定して登攀ができ、仮に付着型植物が登攀路から外れて保形材に露出個所が現れても、網目は目線による透視を困難にするので、目隠し効果を損なうことはない。
【００２６】
請求項７によれば、保形材とヤシ殻マットを熱溶融性の接着シートを挟んで熱プレスをかけると接着シートが溶融して両者を接着し、短時間で接着強度が出て作業性がよい。
【００２７】
請求項８によれば、保形材の遮蔽率（充実率）、目開き、保形材線材幅が、緑化、目隠し等に望ましく、これらの範囲以外だと付着型植物の付着根の通過が困難となって登攀に支障を生じたり、保形材の保形性の確保が難しくなったり、また、遮蔽の目的を果たしにくくなったりする。
【図面の簡単な説明】
【００２８】
【図１】本発明にかかる登攀助材の具体例を示す斜面図である。
【図２】本発明にかかる登攀助材の別の例の分解図で、保形材１の両面にヤシ殻マット２と２’、及び立体金網３と３’を配した場合を示す。
【図３】本発明にかかる登攀助材の別の例で、保形材１の一面にヤシ殻マット２を、他面に立体金網３を配した場合を示す。
【図４】本発明にかかる登攀助材の別の例で、ヤシ殻マット２の一面に保形材１と立体金網３’を配し、反対側の面に立体金網３を配した場合を示す。
【図５】本発明にかかる登攀助材の別の例で、ヤシ殻マット２の両面に保形材１と１’ 、及び立体金網３と３’を配した場合を示す。
【図６】保形材１の斜面図である。
【図７】保形材１とヤシ殻マット２の接着に接着シート４を使用した例を示してある。
【図８】充実率の求め方を図解したものである。
【図９】保形材１の目合いの規格例を表にしたものである。
【図１０】目合いの規格に関するグラフで、横軸が目開き(mm)、縦軸が遮蔽率(%)・充実率(%)を示す。
【発明を実施するための形態】
【００２９】
本発明に係る登攀助材についての以下の説明で、同一符号は同一若しくは相応部分を示す。
【００３０】
（請求項１）図１で、この登攀助材は付着型植物Ｐの登攀を支援するものである。この登攀助材は保形材１、ヤシ殻マット２及び立体金網３を備えている。保形材１はヤシ殻マット２の一面に添設されてこのヤシ殻マット２の形態維持に関与している。このヤシ殻マット２は多数のヤシ殻繊維を、例えばニードルパンチや接着材などでマット状に一体成形して付着型植物Ｐの付着根Ｒの付着を容易にしたものである。立体金網３は付着型植物Ｐの脱落防止用で、ヤシ殻マット２の他面に配設されている。
【００３１】
この保形材１とヤシ殻マット２はそれぞれの一面で面接着されており、保形材１がヤシ殻マット２の形態を維持するのに関与している。ここでいう「関与している」は、「役立っている」というような意味合いを持たせてある。
【００３２】
ヤシ殻マット２は付着型植物Ｐの付着根Ｒが侵入し易いので、付着型植物Ｐは登攀が容易となる。また、ヤシ殻マット２の一面に保形材１を添設したので、経年変化し易いヤシ殻マットの形態維持ができ、ヤシ殻マット単独の場合に生じ易い諸欠点を解消できる。
建物の壁面等に設置すれば、緑化用、遮光用、目隠し用等として長期間にわたってその目的を果たせる。ヤシ殻マット２が損壊し、付着型植物Ｐが生育せず、あるいは付着型植物Ｐが枯れて、緑化されない個所が現れても、保形材１がある程度その機能を代行するので、殊に覗き見に対して効果的である。
【００３３】
（請求項２）図２で、保形材１の一面にヤシ殻マット２及び立体金網３が添設され、他面にも、ヤシ殻マット２’と立体金網３’がこの順序で層設されている。
この場合、付着型植物Ｐは保形材１の両側のヤシ殻マット２、２’に付着根Ｒを付着させながら登攀し、途中で立体金網３、３’にも支えられるので、風圧を受けても簡単には付着根Ｒがヤシ殻マット２、２’から外れることはなく、登攀を確実に行え、フェンス等のように両面を仕切るような使用に適している。
【００３４】
（請求項３）図３で、保形材１は一面にヤシ殻マット２の一面に添設され、この保形材１の表面に立体金網３が配設されている。
この場合、保形材１の遮蔽効果によりヤシ殻マット２を紫外線や風雨から保護し、形態保持の効果が大となる。
【００３５】
（請求項４）図４で、ヤシ殻マット２の一面に保形材１及び立体金網３’がこの順序で層設され、このヤシ殻マット２の他面に立体金網３が配設されている。
この場合、この登攀助材の保形材１が添設されている面を光線に向けて壁面に直に又は間隔を保って添設することで、ヤシ殻マット２を紫外線から保護でき、ヤシ殻マットの両面に緑化植物を登攀させることで、層厚の緑化が期待でき、十分な目隠し効果も得られ、フェンス等として使用した場合にも好適となる。
【００３６】
（請求項５）図５で、ヤシ殻マット２は保形材１及び立体金網３が添設されている面と反対側の面に、保形材１’と立体金網３’がこの順序で層設されている。
この場合、この登攀助材を採用すると、ヤシ殻マット２は２枚の保形材１と１’で挟まれた状態となっているので、その遮蔽効果により耐久性が向上し、フェンス等の仕切り用として好適となる。
【００３７】
（請求項６）図６で、保形材１は、付着型植物Ｐの付着根Ｒの通過は許すが目線による透視は困難な、網目１１を備えている。
この場合、付着型植物Ｐは、付着根Ｒが保形材１の網目１１からヤシ殻マット２に侵入して付着するので、壁面に採用した場合でも安定して登攀ができ、仮に付着型植物Ｐが登攀路から外れて保形材１に露出個所が現れても、網目１１は目線による透視を困難にするので、目隠し効果を損なうことはない。
【００３８】
（請求項７）図７で、保形材１は熱溶融性の接着シート４を介してヤシ殻マット２に接着されている。
この場合、保形材１とヤシ殻マット２を熱溶融性の接着シート４を挟んで熱プレスをかけると接着シート４が溶融して両者を接着し、短時間で接着強度が出て作業性がよい。
【００３９】
（請求項８）図８〜図１０で、保形材１は遮蔽率（充実率）が４０〜８０％、好ましくは６０〜７０％、目開きが１〜１６ｍｍ、好ましくは２〜３．５ｍｍ、保形材線材幅が０．３〜２０ｍｍ、好ましくは１．５〜２ｍｍとなっている。
この場合、保形材１による緑化、目隠し等に望ましく、これらの範囲以外だと付着型植物Ｐの付着根Ｒの通過が困難となって登攀に支障を生じたり、保形材1の保形性の確保が難しくなったり、また、遮蔽の目的を果たしにくくなったりする。
【００４０】
図８は充実率について説明したものである。充実率とはメッシュの外郭面積Ａの中で実面積Ｂの占める割合を表すもので、これにより風力係数が決まる。即ち、
充実率Ｃ＝網の実面積Ｂ（斜線部）／網の外郭面積Ａ
で求められる。目開きＥはメッシュの四角形空間の１辺の長さで、網の外郭面積Ａは保形線材幅Ｄと目開きＥを加えた縦横の長さの相乗積で表される。
【００４１】
図９は保形材１の目合いの規格についての説明図で、５種類の製品を挙げてある。メッシュＢが最も好ましい規格である。
【００４２】
図１０は目合いの規格に関するグラフで、横軸が目開き(mm)、縦軸が遮蔽率(%)・充実率(%)を示す。
【符号の説明】
【００４３】
Ｐ        付着型植物
Ｒ        付着根
１、１’  ヤシ殻マット
２        保形材
３、３’  立体金網
４        接着シート
【図１】
2014036620.tif 000003
【図２】
2014036620.tif 000004
【図３】
2014036620.tif 000005
【図４】
2014036620.tif 000006
【図５】
2014036620.tif 000007
【図６】
2014036620.tif 000008
【図７】
2014036620.tif 000009
【図８】
2014036620.tif 000010
【図９】
2014036620.tif 000011
【図１０】
2014036620.tif 000012